(57)【要約】      （修正有）【課題】組立の作業性を容易にすることができ、復元性を向上させたシャッタを備える光アダプタを提供する。【解決手段】概略筒状のアダプタハウジングに収容される筒状のスリーブと、スリーブを係合固定し、支持するスリーブホルダと、一方の開口を塞ぎつつも外部の光コネクタを挿入すると撓んで挿入を邪魔しないシャッタとを備え、シャッタは、支持壁部５１ａと、屈曲部位５１ｂと、遮蔽部位５１ｃとを備え、屈曲部位は、アダプタハウジングの先端側で、筒体の外側方向に湾曲してから同筒体の内側に入り込むように湾曲させた形状となっている。アダプタハウジング内で、それぞれの開口ごとに係合構造が形成されているので、いずれの側からも挿入でき、かつ、反対方向へは抜け止めできる。【選択図】図１０
2019032530.tif 000002
【特許請求の範囲】
【請求項１】
概略筒状のアダプタハウジングと、該アダプタハウジングに収容される筒状のスリーブと、該スリーブを両側から挟み込み、前記アダプタハウジング内で係合構造にて係合固定され、支持する一対のスリーブホルダとを備え、
前記係合構造は、前記アダプタハウジングの内部で、それぞれの開口ごとに形成し、いずれの側からも挿入を許容しつつ、いずれの側からも反対方向への抜け止めをはかることを特徴とする光コネクタアダプタ。
【請求項２】
前記係合構造は、いずれかの開口端から他端側へ向かうほど徐々に隆起した傾斜面と、該傾斜面に続く後方側でほぼ垂直に下る垂直面を有する傾斜ストッパを、前記アダプタハウジングのほぼ中央部に形成し、いずれの側からも挿入を許容しつつ、いずれの側からも反対方向への抜け止めをはかることを特徴とする請求項１に記載の光コネクタアダプタ。
【請求項３】
前記一対のスリーブホルダは、同じ形状としていることを特徴とする請求項１または請求項２に記載の光コネクタアダプタ。
【請求項４】
前記係合構造は、挿入方向に対しては前記傾斜ストッパにて支持され、前記傾斜ストッパの傾斜面の垂直方向に対しては弾性支持構造にて支持されていることを特徴とする請求項２に記載の光コネクタアダプタ。
【請求項５】
前記係合構造は、前記アダプタハウジングの壁面を薄肉化して弾性を備えていることを特徴とする請求項４に記載の光コネクタアダプタ。
【請求項６】
前記係合構造は、係合する相手側部材に向かってアーム状に突き出た弾性を有する係合片を備えていることを特徴とする請求項４に記載の光コネクタアダプタ。
【請求項７】
前記一対のスリーブホルダには、対となる前記スリーブホルダと対面させたときに干渉しない位置に前記係合片を形成してあることを特徴とする請求項６に記載の光コネクタアダプタ。
【請求項８】
前記アダプタハウジングは、壁面から内側に向けて突き出るように、傾斜ストッパを形成してあり、
前記スリーブホルダは、前記アダプタハウジングの内周面に形成した前記傾斜ストッパに向けて突き出るアーム状の係合片を有するとともに該係合片における前記アダプタハウジングの内周面に対面する側には前記傾斜ストッパを形成してあることを特徴とする請求項１に記載の光コネクタアダプタ。
【請求項９】
前記一対のスリーブホルダは、同じ形状としてあり、互いに対面させたときに干渉しない位置となるように前記係合片を形成してあることを特徴とする請求項８に記載の光コネクタアダプタ。
【請求項１０】
前記係合片は、前記スリーブホルダを装着状態となるように対面させたときに互いに相手側に突き出る形状となっており、突き出た位置における相手側の前記スリーブホルダの外周面には前記係合片の側に突き出て傾動範囲を規制する支持凸部を形成してあることを特徴とする請求項９に記載の光コネクタアダプタ。
【請求項１１】
略矩形の筒体からなるアダプタハウジングと、前記アダプタハウジングに収容される筒状のスリーブと、該スリーブを係合固定し、支持するスリーブホルダと、少なくとも一方の開口を塞ぎつつも外部の光コネクタを挿入すると撓んで挿入を邪魔しないシャッタとを備え、
前記シャッタは、
前記アダプタハウジングのいずれかの外面にて支持される支持壁部と、該支持壁部における前記アダプタハウジングの開口先端側で筒体の内側に入り込むように屈曲する屈曲部位と、該屈曲部位から筒体の内側に入り込んで開口を塞ぐように伸延される遮蔽部位とを備え、
前記屈曲部位は、筒体の外側方向に湾曲してから筒体の内側に入り込むように湾曲させた形状を含むことを特徴とする光コネクタアダプタ。
【請求項１２】
前記シャッタは、前記支持壁部と前記屈曲部位と前記遮蔽部位とを一枚の板片で形成したシャッタ片と、前記支持壁部を前記アダプタハウジングに固定するクリップとを備えていることを特徴とする請求項１１に記載の光コネクタアダプタ。
【請求項１３】
前記クリップは、前記支持壁部を押さえつける押さえ板部位と、前記支持壁部よりも幅方向外側にて前記アダプタハウジングの開口側に向かって前記押さえ板部位の幅方向外側から延設され、開口の先端側縁部で筒体の内側に回り込むように屈曲する挟持片部とを有することを特徴とする請求項１２に記載の光コネクタアダプタ。
【請求項１４】
前記シャッタ片の厚みよりも、前記クリップの厚みの方が厚いことを特徴とする請求項１２または請求項１３に記載の光コネクタアダプタ。
【請求項１５】
前記クリップにおける前記押さえ板部位にはクリップ側貫通穴を形成し、前記シャッタ片における支持壁部には該クリップ側貫通穴に対面する部位にシャッタ片側貫通穴を形成し、前記アダプタハウジングにおける前記クリップ側貫通穴と前記シャッタ片側貫通穴に対面する部位には、概ね前記クリップと前記シャッタ片の厚み分だけ隆起する突起を形成してあることを特徴とする請求項１２から請求項１４のいずれか１項に記載の光コネクタアダプタ。
【請求項１６】
前記スリーブホルダにおける前記スリーブを収容する筒状部は、前記シャッタ片の前記遮蔽部位の先端が傾動する範囲に沿って、前記筒状部と前記遮蔽部位とが干渉しないように、先端に面取り部を形成していることを特徴とする請求項１２から請求項１５のいずれか１項に記載の光コネクタアダプタ。
【発明の詳細な説明】
【技術分野】
【０００１】
本発明は、光コネクタと光コネクタとを連結する光コネクタアダプタに関する。
【背景技術】
【０００２】
先端にフェルール部を備えた光コネクタ同士を連結するために光コネクタアダプタが利用されている。従来、特許文献１に示す光コネクタアダプタや特許文献２に示すシャッター付き光コネクタアダプタなどが知られている。
光コネクタアダプタは、概略筒状のアダプタハウジングと、前記アダプタハウジングに収容される筒状のスリーブと、このスリーブを両側から挟み込み、前記アダプタハウジング内で係合構造にて係合固定され、支持する一対のスリーブホルダとを備えている。
同文献に開示された光コネクタアダプタは、一方の開口を塞ぎつつも外部の光コネクタを挿入すると撓んで挿入を邪魔しないシャッタを備えている。
【０００３】
アダプタハウジングの両方の開口にそれぞれ光コネクタを差し込むと、各光コネクタの先端に露出しているフェルール部がスリーブ部の両側から挿入される。スリーブ部内でフェルール部が当接することで内蔵ファイバ同士が対面して当接するので、光コネクタは光信号の伝達路として連結される。また、光コネクタ自体は機械的にアダプタハウジングに係合するので、光コネクタは外れない状態で支持される。
【０００４】
スリーブホルダは一対の部品で形成され、スリーブを挟み込んで組み立て、アダプタハウジングにおける所定の側から奥に向けて挿入する。アダプタハウジングの中程の内周面には位置決め突起が形成されており、スリーブホルダが突き当たると、それ以上は奥に入らなくなる。また、位置決め突起に突き当たる位置にはスリーブホルダの挿入方向に向かって後方側に係合することで、開口側に抜けてこないようにする係合構造も形成されている。
【０００５】
シャッタは一枚の板片で形成され、アダプタハウジングの一方の開口の縁部に固定され、同開口内に向けて折り曲げられた形状となっていて、同開口を概ね塞いでいる。ただし、光コネクタが挿入されると、当該光コネクタによってアダプタハウジングの内側に押し倒されるので、光コネクタは挿入できるようになっている。
【先行技術文献】
【特許文献】
【０００６】
【特許文献１】特開２０１３-１６４５００号公報
【特許文献２】特許３６４４８８４号公報
【発明の概要】
【発明が解決しようとする課題】
【０００７】
上述した従来の光コネクタアダプタは、スリーブホルダに雌雄の別があり、区別して組み付けなければならない。また、アダプタハウジングには、挿入すべき入り口が決まっており、二つある開口を区別して組み付けなければならない。従って、作業時に方向や部品を慎重に区別しなければならず、誤ってしまうと組立できないので、作業性が良くなかった。
特に、光コネクタアダプタから容易に光コネクタが外れないようにしっかりと固定する必要があり、このために簡易な係合構造は採用できなかった。
また、従来のシャッタ付き光コネクタアダプタは、光コネクタを抜けばシャッタが元の形状に復元し、アダプタハウジング内のスリーブホルダの開口を塞ぐことができる高さに復帰することが期待されている。しかし、現実には光コネクタを挿入したときに無理に変形されたり、光コネクタの挿抜による繰り返しの曲げ伸ばしにより期待どおりに元の形状に復元できない。
本発明は、組立の作業性を容易にすることができ、容易に光コネクタが外れないように保持し、元の形状に戻る復元性を向上させたシャッタを備える光コネクタアダプタを提供する。
【課題を解決するための手段】
【０００８】
本発明は、概略筒状のアダプタハウジングと、前記アダプタハウジングに収容される筒状のスリーブと、このスリーブを両側から挟み込み、前記アダプタハウジング内の係合構造にて係合固定され、支持する一対のスリーブホルダとを備え、前記係合構造は、アダプタハウジングの内部で、それぞれの開口ごとに形成し、いずれの側からも挿入を許容しつつ反対方向への抜け止めをはかる構成としてある。
前記構成において、アダプタハウジングの内部、例えばほぼ中央にて、それぞれの開口ごとに前記係合構造が形成されているので、光コネクタをいずれの側からも挿入でき、かつ、反対方向へは抜け止めできる。
【０００９】
本発明の他の態様として、前記係合構造は、開口側から奥へ向かうほど徐々に迫り上がる傾斜面と、その奥側でほぼ垂直に下る垂直面を有する傾斜ストッパを、アダプタハウジングの内部で、それぞれの開口ごとに形成し、いずれの側からも挿入を許容しつつ反対方向への抜け止めをはかる構成としてある。
ここでいう垂直面とは、９０度程度でも良いが、例えば、アダプタハウジング壁面から傾斜面に向けて８０度以下で形成することで、スリーブホルダの係合突起との嵌合をより外れにくい構造にしても良い。
【００１０】
前記構成において、傾斜ストッパはアダプタハウジングの内部、例えばほぼ中央にて、それぞれの開口ごとに形成してある。傾斜ストッパは開口側から奥へ向かうほど徐々に迫り上がる傾斜面を有しているので、スリーブホルダを挿入するときには容易に乗り越える。一方、傾斜ストッパは、その奥側でほぼ垂直に下る垂直面を有しているので、いったん傾斜面を乗り越えたあとは、手前側には抜け出ることはない。傾斜ストッパはアダプタハウジングのそれぞれの開口ごとに形成してあるので、一方の傾斜ストッパを乗り越えたら、スリーブホルダは反対側の傾斜ストッパの垂直面に突き当たり、それ以上は奥へと移動できなくなる。すなわち、スリーブホルダがアダプタハウジングの内部における所定位置、例えばほぼ中央に移動したときに、それぞれの開口ごとに形成した傾斜ストッパに挟まれるように傾斜ストッパを形成しておく。
【発明の効果】
【００１１】
本発明の光コネクタアダプタによれば、組立の作業性を容易にすることができ、かつ、復元性を向上させたシャッタを備える光コネクタアダプタを提供する。
【図面の簡単な説明】
【００１２】
【図１】本発明の一実施例にかかる光コネクタアダプタの外観斜視図である。
【図２】同光コネクタアダプタの外観斜視図である。
【図３】同光コネクタアダプタの構成部品を示す斜視図である。
【図４】同光コネクタアダプタのＺ線における断面図である。
【図５】同光コネクタアダプタのＸ線における断面図である。
【図６】スリーブホルダの組立状態の斜視図である。
【図７】シャッタ片の斜視図である。
【図８】クリップの斜視図である。
【図９】光コネクタ挿入開始時の光コネクタアダプタの側面断面図である。
【図１０】光コネクタ挿入開始時の光コネクタアダプタの要部拡大図である。
【図１１】光コネクタ挿入後の光コネクタアダプタの側面断面図である。
【図１２】本発明の一実施例にかかる光コネクタアダプタの外観斜視図。
【発明を実施するための最良の形態】
【００１３】
以下、図面にもとづいて本発明の実施形態を説明する。
図１および図２は、本発明の一実施例にかかる光コネクタアダプタの外観斜視図であり、図３は、同光コネクタアダプタの構成部品を示す斜視図である。図１の紙面において、左下方を前方および前端側、右上方を後方および後端側、上方を上方、下方を下方、手前側を右面側、背面側を左面側と呼ぶことにする。
【００１４】
本実施例の光コネクタアダプタ１０は、概略筒状のアダプタハウジング２０と、前記アダプタハウジングに収容される筒状のスリーブ３０と、このスリーブを両側から挟み込み、前記アダプタハウジング内で係合構造にて係合固定され、支持する一対のスリーブホルダ４０と、前記アダプタハウジングの開口に取り付けられるシャッタ５０を備えている。
【００１５】
アダプタハウジング２０は、概略断面矩形の各筒状に形成されている。また、一方の開口にシャッタ５０が取り付けられている。
スリーブ３０は、円筒状に形成されており、その内径は、光コネクタを装着したときに前端に備えられる円柱状のフェルール部が挿入できる程度の大きさとしてある。スリーブホルダ４０は、雌雄の別のない一つの形状であり、互いに逆方向に対面させた状態で、間にスリーブ３０を収容して装着される。
【００１６】
スリーブホルダ４０は、互いに対面して当接する壁面部４１と、この壁面部４１から一方向に突き出るように形成されてスリーブ３０を収容することが可能な筒状部４２と、この壁面部４１の左右の端部から筒状部４２と同方向に突き出るように形成されて光コネクタの側面に係合することが可能なコネクタ係合アーム４３と、筒状部４２やコネクタ係合アーム４３と反対方向に突き出るホルダ係合片４４と、ホルダ係合片４４と同方向に突き出るアーム状係合片４５とを備えている。
【００１７】
図４は、同光コネクタアダプタのＺ線における断面図であり、図５は、同光コネクタアダプタのＸ線における断面図である。また、図６は、同光コネクタアダプタにおけるスリーブホルダの組立状態の斜視図である。
スリーブホルダ４０は、雌雄の別がない一つの形状である。
筒状部４２とコネクタ係合アーム４３が突き出る側を、壁面部４１における表面と呼ぶと、壁面部における裏面側に、ホルダ係合片４４とアーム状係合片４５とが突き出ている。ホルダ係合片４４は、一対のスリーブホルダ４０の背面側同士を対面させて近接させて、スリーブホルダ４０同士を係合させるものであり、それぞれにおいて壁面部４１の左右の縁部で上下が逆になるように延設されている。従って、壁面部４１の裏面同士を向かい合わせたときには、一方のスリーブホルダ４０のホルダ係合片４４は上側から突き出ており、他方のスリーブホルダ４０のホルダ係合片４４は下側から突き出ることになる。ホルダ係合片４４の先端からは内側に向けて小突起４４ａが突き出ており、相手側のスリーブホルダ４０の壁面部４１の厚みを超えた部位で壁面部４１を乗り越えて係合することができる。このように突き出る位置を違えることにより、対となるスリーブホルダ４０と対面させたときに干渉しない位置となっている。
一例として、壁面部４１の右側面縁部の上側と、左側面縁部の下側にホルダ係合片４４
を１つずつ形成する。このようにすれば、対となるスリーブホルダ４０と対面させたときに干渉することなく壁面部４１を乗り越えて係合することができる。これにより、スリーブホルダ４０をアダプタハウジング２０に挿入する際に、対となるスリーブホルダ４０が仮組みの状態となり、組立が容易となる。
組立の工程によって仮組みの状態を要しない場合は、ホルダ係合片４４を設けない構成としても良い。
【００１８】
アーム状係合片４５についても、壁面部４１から突き出る位置を違えることにより、対となるスリーブホルダと対面させたときに干渉しない位置となっている。アーム状係合片４５は、壁面部４１の上側の縁部と下側の縁部に２つずつ形成されている。上側の縁部のアーム状係合片４５は、一対のスリーブホルダ４０を対面させたときに、それぞれの壁面部４１から突き出るアーム状係合片４５が突き当たらないように左右にずれた位置関係としてある。一例として、二つのアーム状係合片４５のために壁面部４１の縁部を２等分した上で、さらにそれぞれの領域を２等分し、ともに右側の領域にアーム状係合片４５を形成する。このようにすれば、一対のスリーブホルダ４０を対面させたときには左右が反転するので、ともに右側の領域から突き出るものであっても相手側からすると左側から突き出ていることになり、対となるスリーブホルダ４０と対面させたときに干渉しない位置となる。
【００１９】
さらに、本実施例の場合は、上下を反転させたときに対象となるように形成してある。このようにすることで、スリーブホルダ４０は雌雄がないばかりか、対面させたときに上下の区別もなくなり、組立作業が容易になる。また、左右のホルダ係合片４４で挟み込みつつ係合するため、一対のスリーブホルダ４０はしっかりと固定される。また、本実施例では、概略矩形形状である壁面部４１の長い片にあたる上下の縁部にアーム状係合片４５を形成することとしてあり、一対のスリーブホルダ４０はしっかりと固定される。
【００２０】
ホルダ係合片４４の先端からは内側に向けて小突起４４ａが突き出ているのに対し、アーム状係合片４５の先端からは外側に向けて小突起４５ａが突き出ている。ここでいう外側とは、アダプタハウジング２０に挿入したときに、アダプタハウジング２０の内周面に対面する側である。小突起４５ａは、突き出る先端側から根本側に向けて徐々に隆起する傾斜面４５ａ１を有しており、最も隆起した部位を超える位置でほぼ垂直に下る垂直面４５ａ２を有している。この小突起４５ａは、アダプタハウジング２０の内周面における中程の上壁面と下壁面に形成した係合突起２１ａに係合することができる。
【００２１】
係合突起２１ａは、一方の開口側に対面するほぼ垂直の垂直面２１ａ１と、隆起した部分の水平面２１ａ２と、他方の開口側に対面する乗り上げ面２１a３とを有している。スリーブホルダ４０をアダプタハウジング２０内に挿入していくと、アーム状係合片４５の小突起４５ａに形成した傾斜面４５ａ１は、係合突起２１ａにおける乗り上げ面２１ａ３に当接するものの、傾斜しているアーム状係合片４５が撓むことで小突起４５ａは係合突起２１ａに突き当たることなく乗り上がる。さらに挿入すると、アーム状係合片４５の小突起４５ａに形成した垂直面４５ａ２が係合突起２１ａの水平面２１ａ２を通り越すので、アーム状係合片４５は小突起４５ａの隆起分だけ撓められていた状態から元の状態に復帰する。これにより、アーム状係合片４５の小突起４５ａに形成した垂直面４５ａ２と、係合突起２１ａの垂直面２１ａ１とが対面する。従って、この状態でアダプタハウジング２０からスリーブホルダ４０を挿入方向と逆方向に抜こうとしても、垂直面４５ａ２と垂直面２１ａ１とが対面することになり、容易には抜けない状態となっている。ここで、乗り上げ面２１a３は、垂直面として形成しても良く、また、アーム状係合片４５が水平面２１ａ２へ乗り上げやすいように、挿入する開口側から他方開口側に向かって徐々に隆起する傾斜面としても良い。
本明細書中で、「挿入方向」とは、アダプタハウジング２０の、一方の開口から他方の開口に向けて進む方向のことを言い、このとき、中央部から他方の開口側を後方側と言い、中央部から一方の開口側を前方側と言う。
【００２２】
スリーブホルダ４０をアダプタハウジング２０に挿入していくときに、アダプタハウジング２０の係合突起２１ａに最初に当接するのは、挿入方向を基準として後側のスリーブホルダ４０から挿入方向前方側に突き出るアーム状係合片４５である。このアーム状係合片４５が係合突起２１ａを乗り越えると、もう片方の前方側のスリーブホルダ４０から挿入方向後方側に突き出るアーム状係合片４５が係合突起２１ａに突き当たる。このときに対面するのは、アーム状係合片４５の小突起４５ａに形成した垂直面４５ａ２と、係合突起２１ａの垂直面２１ａ１であり、容易に乗り越える組み合わせではないから、突き当たる。これにより、スリーブホルダ４０は、それ以上はアダプタハウジング２０には挿入できなくなる。すなわち、それ以上挿入できない状態となるのと同時に、抜くこともできない状態となる。このようにして組み合わせた一対のスリーブホルダ４０はアダプタハウジング２０内における中程の所定位置に係合固定される。
【００２３】
スリーブホルダ４０に雌雄の区別がないのと同様に、アダプタハウジング２０の内部もＹ軸周りで回転対称な形状としてあるため、アダプタハウジング２０のいずれの開口からスリーブホルダ４０を挿入しても同じように係合する。このように、本実施例の係合構造では、アダプタハウジング２０のほぼ中央にて、それぞれの開口ごとに形成し、いずれの側からも挿入を許容しつつ反対方向への抜け止めをはかるように作用している。
【００２４】
また、アーム状係合片４５における小突起４５ａは、挿入方向の前方側から後方側へ向かうほど徐々に迫り上がる傾斜面４５ａ１と、この傾斜面４５ａ１に続く後方側でほぼ垂直に下る垂直面４５ａ２を有する傾斜ストッパとなる。一対のスリーブホルダ４０の壁面部４１の裏面同士を向かい合わせることで、傾斜ストッパは挿入方向の前方側と後方側に形成され、いずれの側からも挿入を許容しつつ反対方向への抜け止めをはかることができる。
【００２５】
なお、このような傾斜ストッパは、スリーブホルダ４０の側に形成することもできるし、アダプタハウジング２０の側に形成してもよい。例えば、アダプタハウジング２０の内周面におけるスリーブホルダに対面する側に前記係合構造を構成する傾斜面と垂直面を形成し、スリーブホルダ４０から突き出るアーム状係合片４５と係合する構成とすればよい。
【００２６】
また、係合突起２１ａはアダプタハウジング２０の内周面に形成してある。一例として、アダプタハウジング２０の外周面に凹み２１ｂを形成し、壁面を薄肉化してもよい。係合突起２１ａが形成される壁面を薄肉化することにより、弾性を備えさせ、弾性支持構造としている。一方の側だけ、例えば、スリーブホルダ４０の側の弾性支持構造だけとしてもよいが、スリーブホルダ４０の側にもアダプタハウジング２０の側にも、弾性支持構造を形成してもよい。。
【００２７】
このようにアーム状係合片４５の小突起４５ａがアダプタハウジング２０の係合突起２１ａを乗り越えるためには、アーム状係合片４５が弾性部材として撓むことが必要である。アーム状係合片４５は、係合する相手側部材に向かってアーム状に突き出ることにより、弾性を有する係合片となっている。すなわち、アーム状係合片４５は弾性支持構造の一例である。
【００２８】
アーム状係合片４５は、一対のスリーブホルダ４０を対面させて装着状態としたときに、互いに相手側のスリーブホルダ４０に突き出る形状となっている。突き出た位置では、アーム状係合片４５と相手側のスリーブホルダ４０の一部が対面する。突き出た位置における相手側のスリーブホルダ４０の外周面には同アーム状係合片４５の側に突き出る支持凸部４６を形成してある。支持凸部４６はアーム状係合片４５における小突起４５ａを形成した側と反対側の面に対面しており、小突起４５ａが係合突起２１ａを乗り越えるために撓むと、支持凸部４６とアーム状係合片４５とが近接するため、支持凸部４６の隆起高さやアーム状係合片４５の厚みを適宜調整することで、アーム状係合片４５が傾動可能な範囲（傾動範囲）を規制することができる。
【００２９】
スリーブホルダ４０は、図示しない光コネクタと係合すると、光コネクタにかかる引っ張り力を支持することになり、このときに所定の大きさの引っ張り力に耐えるように設計されている必要がある。アーム状係合片４５が容易に撓めば組立作業は容易になる反面、この引っ張り力に耐える力は弱くなる。前記支持凸部４６の隆起高さやアーム状係合片４５の厚みを適宜調整することで、両方のバランスをとることができる。すなわち、必要な引っ張り力に耐えることができ、組立作業も容易にできる範囲とすることができる。
【００３０】
図７は、シャッタ片の斜視図であり、図８は、クリップの斜視図である。
シャッタ５０は、アダプタハウジング２０における少なくとも一方の開口に装着され、一方の開口を塞ぎつつも外部から光コネクタを挿入すると撓んで挿入を邪魔しない。シャッタ５０は、シャッタ片５１とクリップ５２とから構成されている。シャッタ片５１は一枚の板片から構成され、アダプタハウジング２０における一方の開口の下壁縁部に対して下面側から接する支持壁部５１ａと、同支持壁部５１ａからアダプタハウジング２０の下壁縁部を回り込んで上方に屈曲する屈曲部位５１ｂと、同屈曲部位５１ｂからアダプタハウジング２０の開口内側に向けて当該開口を塞ぐように伸延される遮蔽部位５１ｃとから構成されている。
【００３１】
屈曲部位５１ｂは、支持壁部５１ａの前端からいったんやや下方に傾斜してから前記下壁縁部を回り込んで上方に屈曲している。言い換えると、前記下壁縁部から離れるように湾曲した後で、下壁縁部の前方を回り込むようにして開口の内側に向かうように湾曲することで、曲げ半径を大きくしている。
遮蔽部位５１ｃは急角度で屈曲部位５１ｂから立設した後、いったんは立ち上がる角度が緩み、再度、急角度で立ち上がっており、いわゆるＳ字カーブを描く断面形状となっている。このようにＳ字カーブとすることにより、
光コネクタが挿入されるときに屈曲部位５１ｂに近い部位で光コネクタフェルールの側面が接触し押し倒すこととなるので、フェルールの端面が接触してフェルール端面を損傷することがない。さらに挿入するとシャッタ片５１の先端側は大きく傾いて筒状部４２の開口から待避し、挿入される光コネクタのフェルール部がスリーブ３０に挿入できるようになる。
なお、スリーブホルダ４０における筒状部４２の先端と遮蔽部位５１ｃとが干渉しないように、同遮蔽部位５１ｃの先端が傾動する範囲に沿って筒状部４２の先端に面取り部４２ａを形成してある。これにより、シャッタ片５１の遮蔽部位５１ｃの全長をより長くすることができ、この結果、遮蔽部位５１ｃが筒状部４２開口部分を広い範囲で覆うことができる。
【００３２】
このように、支持壁部５１ａは略矩形の筒体からなるアダプタハウジング２０のいずれかの外面にて支持され、屈曲部位５１ｂは同支持壁部５１ａにおけるアダプタハウジング２０の先端側で筒体の内側に入り込むように屈曲しており、遮蔽部位５１ｃは同屈曲部位５１ｂから筒体の内側に入り込んで開口を塞ぐように立設されている。
【００３３】
シャッタ片５１をアダプタハウジング２０に取り付けるクリップ５２は、シャッタ片５１の支持壁部５１ａを下方から押さえつける押さえ板部位５２ａと、押さえ板部位５２ａよりも左右外側方向に広がり、さらにアダプタハウジング２０の開口側に向かって延びた後、同アダプタハウジング２０の開口における下壁縁部を上方側に回り込んで下壁縁部の上面側に回り込む挟持部５２ｂとを備えている。押さえ板部位５２ａの前方側は解放されており、シャッタ片５１の屈曲部位５１bに接触しない構成となっている。
【００３４】
このように、クリップ５２は、シャッタ片５１の支持壁部５１ａをアダプタハウジング２０の外面に押さえつける押さえ板部位５２ａと、支持壁部５１ａよりも幅方向外側にてアダプタハウジング２０の開口側に延設され、同開口の先端側縁部で筒体であるアダプタハウジング２０の内側に回り込むように屈曲する挟持部５２ｂとを有している。
【００３５】
シャッタ５０において、シャッタ片５１の支持壁部５１ａと屈曲部位５１ｂと遮蔽部位５１ｃとを形成する板片の厚みよりも、クリップ５２の厚みの方を厚くしてある。クリップ５２はシャッタ片５１をしっかりと固定するために必要十分な強度を持つように所定の厚みが必要となる。一方、シャッタ片５１は可能な限りしなやかにすることで光コネクタを抜き差ししたときに元の形状に復元する復元性能を向上させるべく、可能な限り薄くしている。
【００３６】
また、クリップ５２における押さえ板部位５２ａにはクリップ側貫通穴５２ａ１を形成し、シャッタ片５１における支持壁部５１ａにおける同クリップ側貫通穴５２ａ１に対面する部位にもシャッタ片側貫通穴５１ａ１を形成してある。これらに対応して、アダプタハウジング２０におけるクリップ側貫通穴５２ａ１とシャッタ片側貫通穴５１ａ１に対面する部位には、概ねシャッタ片５１とクリップ５２の厚み分だけ隆起する突起２３を形成してある。突起２３は開口側から反対側に向けて徐々に隆起し、最後には垂直となるように形成された垂直面を備えている。
【００３７】
シャッタ５０を取り付けるには、アダプタハウジング２０にスリーブホルダ４０に挿入した後、シャッタ片５１の支持壁部５１ａを同アダプタハウジング２０の開口の下壁に当接させるように、前方からクリップ５２を同開口の下壁にスライドさせる。すると、シャッタ片５１の左右から挟持部５２ｂが同開口の下壁を挟み込むようにして装着される。シャッタ片５１はシャッタ片側貫通穴５１ａ１にアダプタハウジング２０の突起２３が入り込むように位置合わせしておき、クリップ５２をスライドしていくと、押さえ板部位５２ａが突起２３の傾斜面に沿って同突起２３を乗り越える。乗り越えた位置では、シャッタ片側貫通穴５１ａ１とクリップ側貫通穴５２ａ１と突起２３とが位置合わせされた状態となり、シャッタ片５１やクリップ５２がアダプタハウジング２０から外れてしまうことを防止できる。
【００３８】
なお、クリップ５２における押さえ板部位５２ａには凹部を形成し、シャッタ片５１における支持壁部５１ａの同凹部に対面する部位には切り起こし部を形成しておき、両者が凹凸係合するようにすることもできる。このようにすれば、シャッタ片５１とクリップ５２だけが位置合わせされる。クリップ５２による固定が十分であれば、このような簡略化した構成としても良い。この場合でも、シャッタ片側貫通穴５１ａ１とクリップ側貫通穴５２ａ１と突起２３とを併用することも可能であり、固定力を大きくしたい場合に有効である。
【００３９】
図９は、光コネクタ挿入開始時の光コネクタアダプタの側面断面図であり、図１０は、光コネクタ挿入開始時の光コネクタアダプタの要部拡大図であり、図１１は、光コネクタ挿入後の光コネクタアダプタの側面断面図である。また、図１２は、本発明の一実施例にかかる光コネクタアダプタの外観斜視図である。
図９に示すように、光コネクタアダプタ１０に光コネクタを挿入し始めた時点では、遮蔽部位５１ｃは立ち上がっており、筒状部４２の開口部分を遮蔽している。
【００４０】
光コネクタを挿入していくと、光コネクタの先端下部がシャッタ片５１における屈曲部位５１ｂの上面に当接し、そのまま屈曲部位５１ｂを挿入方向奥側に向けて押し倒す。すると、遮蔽部位５１ｃは奥側に向けて倒れるので、光コネクタの挿入経路から待避し、光コネクタを奥まで挿入することができる。光コネクタを奥まで挿入すると、スリーブホルダ４０に形成したコネクタ係合アーム４３が光コネクタの両側面と係合し、コネクタ係合アーム４３の抜け止めが図られる。
【００４１】
光コネクタを挿入していくときには、最初にシャッタ片５１の遮蔽部位５１ｃに当接し、奥側へ押し倒そうとする。遮蔽部位５１ｃは断面Ｓ字状とはなっているが概ね平板にも近いので押し倒される過程でより平板状になろうとするものの、傾動時に最も変形するのは屈曲部位５１ｂである。屈曲部位５１ｂはアダプタハウジング２０の下壁縁部から離れるように湾曲してから同下壁縁部の前方を回り込むように湾曲しているので、遮蔽部位５１ｃが押し倒されるときに屈曲部位５１ｂは下壁縁部の前端の下面に近づくように引っ張られつつ下壁縁部の前端付近で奥側に向かうように撓められる。しかし、もともと同屈曲部位５１ｂはアダプタハウジング２０の下壁縁部を避けて回り込むように形成されているため、屈曲部位５１ｂにおける一連の変形時にも屈曲部位５１ｂの変形を同下壁縁部が妨げにくくなっている。この結果、シャッタ片５１が湾曲するときに一部がアダプタハウジング２０に当接して応力が集中することを防ぐことで、局部的に屈曲されることによるシャッタ片５１の復元性の低下を防止できる。
【００４２】
なお、本発明は前記実施例に限られるものでないことは言うまでもない。当業者であれば言うまでもないことであるが、
・スリーブホルダ４０は、アダプタハウジング２０内のほぼ中央で係合固定されているが、ほぼ中央である必要はない。光コネクタを接続するためのソケット状の器具とする場合には片方の開口側に寄せてある位置であってもかまわない。
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００４３】
１０…光コネクタアダプタ、２０…アダプタハウジング、２１…筒体部、２１ａ…係合突起、２１ａ１…垂直面、２１ａ２…水平面、２１a３…乗り上げ面、２１ｂ…凹み、２２…装着金具、２３…突起、３０…スリーブ、４０…スリーブホルダ、４１…壁面部、４２…筒状部、４２ａ…面取り部、４３…コネクタ係合アーム、４４…ホルダ係合片、４４ａ…小突起、４５…アーム状係合片、４５ａ…小突起、４５ａ１…傾斜面、４５ａ２…垂直面、４６…支持凸部、５０…シャッタ、５１…シャッタ片、５１ａ…支持壁部、５１ａ１…シャッタ片側貫通穴、５１ｂ…屈曲部位、５１ｃ…遮蔽部位、５２…クリップ、５２ａ…押さえ板部位、５２ａ１…クリップ側貫通穴、５２ｂ…挟持部。
【図１】
2019032530.tif 000003
【図２】
2019032530.tif 000004
【図３】
2019032530.tif 000005
【図４】
2019032530.tif 000006
【図５】
2019032530.tif 000007
【図６】
2019032530.tif 000008
【図７】
2019032530.tif 000009
【図８】
2019032530.tif 000010
【図９】
2019032530.tif 000011
【図１０】
2019032530.tif 000012
【図１１】
2019032530.tif 000013
【図１２】
2019032530.tif 000014